(57)【特許請求の範囲】
【請求項１】
底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤであって、
前記ケースの前記天井面において、前記上側経路部の上流位置と対応する箇所には前記天井面を清掃可能な清掃装置を前記チェーンに対して取り付ける際に前記清掃装置を通過させる取り付け口が設けられる一方、前記上側経路部の下流位置と対応する箇所には前記清掃装置を前記チェーンから取り外す際に前記清掃装置を通過させる取り外し口が設けられていることを特徴とするチェーンコンベヤ。
【請求項２】
前記取り外し口には、その一部に設けた掛止部が前記ケース内に位置する第１位置状態と前記掛止部が前記ケース外に位置する第２位置状態との間を変位可能とされた変位部材が設けられ、前記変位部材が前記第１位置状態にある場合に、前記チェーンに載置された状態で当該チェーンの周回移動に伴い前記上側経路部を前記取り外し口の下方位置まで上流から移動してきた前記清掃装置は、移動しながらその一部が前記変位部材の前記掛止部に掛止することを特徴とする請求項１に記載のチェーンコンベヤ。
【請求項３】
前記変位部材は、前記取り外し口に当該取り外し口を開閉可能に設けられた蓋体であり、
前記掛止部は、前記蓋体が前記取り外し口を閉塞した状態では、当該蓋体における前記ケース内に臨む裏面との間に上流側が開放された隙間を確保しつつ前記上側経路部に沿って延びるように構成されていることを特徴とする請求項２に記載のチェーンコンベヤ。
【請求項４】
底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤの清掃装置であって、
前記清掃装置を前記チェーンに対して取り付けられた状態にする際に前記チェーンの一部と前記上側経路部において係合する係合部と、
前記清掃装置が前記チェーンに前記係合部を係合させて取り付けられた状態で前記チェーンの周回移動に伴い前記上側経路部を前記天井面に沿って移動するときに前記天井面に対して摺動する摺動部と、
を備えることを特徴とするチェーンコンベヤの清掃装置。
【請求項５】
前記摺動部は、変位可能に構成されると共に、前記チェーンに対して前記清掃装置が前記上側経路部で取り付けられた状態では前記天井面に対して圧接するように付勢されていることを特徴とする請求項４に記載のチェーンコンベヤの清掃装置。
【請求項６】
前記摺動部は、前記上側経路部の延びる方向と交差する方向において位置をずらせて設けられた複数の摺動部で構成されていることを特徴とする請求項４又は請求項５に記載のチェーンコンベヤの清掃装置。
【請求項７】
前記係合部は、前記上側経路部で前記清掃装置が前記チェーンに載置態様で取り付けられた状態において前記掻き板に対して前記上側経路部の下流側から位置決め状態となって係合することを特徴とする請求項４〜請求項６のうち何れか一項に記載のチェーンコンベヤの清掃装置。
【請求項８】
前記清掃装置が前記チェーンに前記係合部を係合させて取り付けられた状態で前記チェーンの周回移動に伴い前記上側経路部を前記天井面に沿って移動するときに前記ケース内の内側面に対して摺動する摺動部を更に備えることを特徴とする請求項４〜請求項７のうち何れか一項に記載のチェーンコンベヤの清掃装置。
【請求項９】
底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤの清掃方法であって、
前記天井面を清掃可能な清掃装置を前記チェーンに対して前記上側経路部の上流位置において取り付ける取り付け工程と、
前記清掃装置が前記天井面を清掃しつつ前記上側経路部を前記天井面に沿って上流から下流に移動するように前記チェーンを周回移動させる移動工程と、
前記清掃装置を前記チェーンから前記上側経路部の下流位置において取り外す取り外し工程と、
を備えることを特徴とするチェーンコンベヤの清掃方法。
【発明の詳細な説明】
【技術分野】
【０００１】
本発明は、例えば粉粒体等の被搬送物を搬送するチェーンコンベヤ、その清掃装置及びその清掃方法に関する。
【背景技術】
【０００２】
従来から、ケース内を周回移動する無端状のチェーンの左右両側に取り付けた掻き板がケースの底面に沿って移動することにより、その移動方向の上流側に設けられた投入口を介してケース内に投入された粉粒体等の被搬送物を移動方向の下流側に搬送し、その下流側に設けられた排出口を介してケース外に排出するチェーンコンベヤが知られている。また、こうしたチェーンコンベヤでは、掻き板の端縁とケースの底面及び左右両内側面との間に形成される隙間に粉粒体等の被搬送物が残留物として残ることを抑制するために、チェーンの周回移動時にケースの底面及び左右両内側面に端縁が摺動する弾性スクレーパーをチェーンの左右両側に更に取り付けている（例えば、特許文献１）。
【先行技術文献】
【特許文献】
【０００３】
【特許文献１】特開２００８−１４３６３１号公報
【発明の概要】
【発明が解決しようとする課題】
【０００４】
ところで、被搬送物が穀物等の粉粒体である場合には、その搬送時にケース内において微細なダストが舞い上がる。そのため、こうした粉粒体等の被搬送物を搬送するチェーンコンベヤにおいては、その搬送時に舞い上がったダストがケース内の天井面に付着する。そして、この天井面に付着したダストを除去せずに放置していると、付着しているダストの表面上に更に新たなダストが付着して大きな塊となり、ついにはケース内の天井面から剥がれて落下し、ケース内を搬送される被搬送物の中に異物として混入されてしまう。なお、チェーンの左右両側に掻き板とは別に取り付けた弾性スクレーパーは、ケース内の底面と左右両内側面には端縁を摺動させるが、天井面に対しては端縁を摺動させないので、この弾性スクレーパーによっては、天井面に付着したダストを除去することができない。
【０００５】
本発明は、このような実情に鑑みてなされたものであり、その目的は、例えば粉粒体等の被搬送物の搬送時に舞い上がったダストがケース内の天井面に付着した場合でも、そのようなダストを容易に除去して、ケース内を清掃することができるチェーンコンベヤ、その清掃装置及びその清掃方法を提供することにある。
【課題を解決するための手段】
【０００６】
以下、上記課題を解決するための手段及びその作用効果について記載する。
上記課題を解決するチェーンコンベヤは、底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤであって、前記ケースの前記天井面において、前記上側経路部の上流位置と対応する箇所には前記天井面を清掃可能な清掃装置を前記チェーンに対して取り付ける際に前記清掃装置を通過させる取り付け口が設けられる一方、前記上側経路部の下流位置と対応する箇所には前記清掃装置を前記チェーンから取り外す際に前記清掃装置を通過させる取り外し口が設けられている。
【０００７】
この構成によれば、チェーンコンベヤのケース内の天井面にダストが付着している場合、清掃装置をケースの天井面に設けた取り付け口からチェーンに取り付けた後、そのチェーンを清掃装置が上側経路部を上流から下流に移動するように周回移動させると、清掃装置がケース内の天井面を清掃する。その結果、天井面に付着しているダストが清掃装置による清掃作業で除去される。そして、清掃が終了した後は、ケースの天井面に設けた取り外し口を介してチェーンから清掃装置を取り外すことにより、再びチェーンコンベヤによる被搬送物の搬送を再開することができる。
【０００８】
上記チェーンコンベヤにおいて、前記取り外し口には、その一部に設けた掛止部が前記ケース内に位置する第１位置状態と前記掛止部が前記ケース外に位置する第２位置状態との間を変位可能とされた変位部材が設けられ、前記変位部材が前記第１位置状態にある場合に、前記チェーンに載置された状態で当該チェーンの周回移動に伴い前記上側経路部を前記取り外し口の下方位置まで上流から移動してきた前記清掃装置は、移動しながらその一部が前記変位部材の前記掛止部に掛止することが好ましい。
【０００９】
この構成によれば、ケースの天井面に設けた取り付け口からチェーンに対して載置状態に取り付けられた清掃装置は、取り外し口に対して変位部材が掛止部をケース内に位置させた第１位置状態にある場合において、取り外し口の下方位置まで移動してきたときに、その一部が掛止部に対して掛止する。そして、その状態から変位部材を掛止部がケース外に位置する第２位置状態に変位させると、掛止部と共に清掃装置もケース外に位置するようになるため、その清掃装置を掛止部から取り外して回収することが可能とされる。
【００１０】
上記チェーンコンベヤにおいて、前記変位部材は、前記取り外し口に当該取り外し口を開閉可能に設けられた蓋体であり、前記掛止部は、前記蓋体が前記取り外し口を閉塞した状態では、当該蓋体における前記ケース内に臨む裏面との間に上流側が開放された隙間を確保しつつ前記上側経路部に沿って延びるように構成されていることが好ましい。
【００１１】
この構成によれば、チェーンの周回移動に伴い上側経路部を上流から下流に向けて移動し、取り出し口の下方位置まで至った清掃装置は、その一部が、蓋体の裏面との間に上流側が開放された隙間を確保しつつ上側経路部に沿って延びるように設けられた掛止部に対して、下流側に移動しつつ掛止する。そして、その状態から蓋体を反転させて開放状態にすると、掛止部に掛止されたままで清掃装置がケース外に露出し、掛止部から取り外して回収可能とされる。
【００１２】
また、上記課題を解決するチェーンコンベヤの清掃装置は、底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤの清掃装置であって、前記清掃装置を前記チェーンに対して取り付けられた状態にする際に前記チェーンの一部と前記上側経路部において係合する係合部と、前記清掃装置が前記チェーンに前記係合部を係合させて取り付けられた状態で前記チェーンの周回移動に伴い前記上側経路部を前記天井面に沿って移動するときに前記天井面に対して摺動する摺動部と、を備える。
【００１３】
この構成によれば、チェーンコンベヤのケース内の天井面にダストが付着している場合、清掃装置をチェーンコンベヤのチェーンに対して周回経路中の上側経路部にて係合部を係合させることにより取り付けた後、そのチェーンを周回移動させると、チェーンに取り付けた清掃装置の摺動部がケース内の天井面に対して摺動する。その結果、天井面に付着しているダストが清掃装置の摺動部により掻き取られるようにして除去される。
【００１４】
上記チェーンコンベヤの清掃装置において、前記摺動部は、変位可能に構成されると共に、前記チェーンに対して前記清掃装置が前記上側経路部で取り付けられた状態では前記天井面に対して圧接するように付勢されていることが好ましい。
【００１５】
この構成によれば、チェーンの周回移動に伴い清掃装置が天井面に沿って移動するときに摺動部を常に天井面に対して圧接した状態にできるので、ダストの除去を伴う清掃作業を安定して行うことができる。
【００１６】
上記チェーンコンベヤの清掃装置において、前記摺動部は、前記上側経路部の延びる方向と交差する方向において位置をずらせて設けられた複数の摺動部で構成されていることが好ましい。
【００１７】
この構成によれば、摺動部が上側経路部の延びる方向と交差する方向において幅が広い単一の部材構成である場合に比して、複数の部材構成からなる摺動部の場合には天井面に対して多面的な摺動状態を得ることができるので、例えば天井面の一部分に歪みがある場合にも、その天井面に付着しているダストを良好に除去できる。
【００１８】
上記チェーンコンベヤの清掃装置において、前記係合部は、前記上側経路部で前記清掃装置が前記チェーンに載置態様で取り付けられた状態において前記掻き板に対して前記上側経路部の下流側から位置決め状態となって係合することが好ましい。
【００１９】
この構成によれば、上側経路部で清掃装置をチェーンに載置し、清掃装置の係合部をチェーンの掻き板に対して上側経路部の下流側から係合させると、清掃装置をチェーンに対して位置決め状態にして取り付けることができる。そして、清掃が終了した後は、上側経路部において清掃装置をチェーン上から持ち上げるだけで、掻き板に対する係合部の係合が解除されるため、チェーンから清掃装置を容易に取り外すことができる。
【００２０】
上記チェーンコンベヤの清掃装置は、前記清掃装置が前記チェーンに前記係合部を係合させて取り付けられた状態で前記チェーンの周回移動に伴い前記上側経路部を前記天井面に沿って移動するときに前記ケース内の内側面に対して摺動する摺動部を更に備えることが好ましい。
【００２１】
この構成によれば、清掃装置には、ケースの天井面に摺動する摺動部の他にケースの内側面に摺動する摺動部も設けられているため、ケースにおける複数の内面を一つの清掃装置により効率良く清掃することができる。
【００２２】
また、上記課題を解決するチェーンコンベヤの清掃方法は、底面及びその底面と対向する天井面を有するケースと、前記ケース内の前記底面に沿う下側経路部及び前記ケース内の前記天井面に沿う上側経路部を含む周回経路に沿って周回移動する無端状のチェーンと、前記チェーンに取り付けられた状態で前記チェーンの周回移動に伴い前記下側経路部を移動するときに被搬送物を前記底面に沿って掻き出すように搬送可能な掻き板と、を備えたチェーンコンベヤの清掃方法であって、前記天井面を清掃可能な清掃装置を前記チェーンに対して前記上側経路部の上流位置において取り付ける取り付け工程と、前記清掃装置が前記天井面を清掃しつつ前記上側経路部を前記天井面に沿って上流から下流に移動するように前記チェーンを周回移動させる移動工程と、前記清掃装置を前記チェーンから前記上側経路部の下流位置において取り外す取り外し工程と、を備える。
【００２３】
この構成によれば、チェーンコンベヤのケース内の天井面にダストが付着している場合、清掃装置をチェーンコンベヤのチェーンに対して上側経路部の上流位置で取り付けた後、そのチェーンを清掃装置が上流から下流に移動するように周回移動させると、清掃装置がケース内の天井面を清掃する。その結果、天井面に付着しているダストが清掃装置による清掃作業で除去される。そして、清掃が終了した後は、上側経路部の下流位置において清掃装置をチェーンから取り外すことにより、再びチェーンコンベヤによる被搬送物の搬送を再開することができる。
【発明の効果】
【００２４】
本発明によれば、例えば粉粒体等の被搬送物の搬送時に舞い上がったダストがケース内の天井面に付着した場合でも、そのようなダストを容易に除去して、ケース内を清掃することができる。
【図面の簡単な説明】
【００２５】
【図１】チェーンコンベヤの一実施形態について、その全体構造を概略的に示す一部破断側面図。
【図２】図１における２−２線矢視断面図。
【図３】図１における３−３線矢視断面図。
【図４】チェーンコンベヤにおけるチェーンに対して清掃装置が取り付けられた状態を示す斜視図。
【図５】チェーンコンベヤにおけるチェーンに対して清掃装置が取り付けられた状態を示す平断面図。
【図６】チェーンコンベヤにおけるチェーンにケースの取り付け口を介して清掃装置を取り付けるときの状態を示す部分側断面図。
【図７】チェーンコンベヤにおけるチェーンに対する清掃装置の取り付けが完了した状態を示す部分側断面図。
【図８】清掃装置がチェーンコンベヤにおけるケースの取り出し口の下方位置まで至った状態を示す部分側断面図。
【図９】清掃装置の転動体がチェーンコンベヤにおける掛止部の傾斜部に乗り上げるときの状態を示す部分斜視図。
【図１０】清掃装置の転動体がチェーンコンベヤにおける掛止部に掛止された状態を示す部分側断面図。
【図１１】チェーンコンベヤにおけるケースの取り出し口の蓋体を開放状態にして清掃装置を回収するときの状態を示す部分側断面図。
【発明を実施するための形態】
【００２６】
以下、チェーンコンベヤの一実施形態について、そのチェーンコンベヤのケースの天井面を清掃する清掃装置及びその天井面の清掃方法と共に、図を参照して説明する。なお、以下の説明において、前後方向、左右方向、上下方向を示す場合は、図１等で示す方向を基準にしているものとする。
【００２７】
図１に示すように、本実施形態のチェーンコンベヤ１１は、その側面視での全体形状が横長四角筒状のケース１２を有している。ケース１２は、その長さ方向となる前後方向における前方位置で前後方向に沿う四角筒状の前部ケース１３と、前部ケース１３よりも後方位置で前後方向に沿う四角筒状の後部ケース１４と、前部ケース１３の後端と後部ケース１４の前端とを連結して前後方向に沿う四角筒状の中間ケース１５とを備えている。
【００２８】
前部ケース１３内の前端部には駆動スプロケット１６が左右方向に沿う軸１７を回転中心にして回動自在に支持される一方、後部ケース１４内の中央部よりも少し前部寄りの位置には従車１８が左右方向に沿う軸１９を回転中心にして回動自在に支持されている。なお、前部ケース１３の一部には駆動モーター（図示略）が配置され、その駆動モーターの駆動回転に基づき駆動スプロケット１６が図１において反時計方向に駆動回転するように構成されている。
【００２９】
また、チェーンコンベヤ１１のケース１２内において、駆動スプロケット１６と従車１８との間には無端状のチェーン２０が掛装されている。チェーン２０は、左右方向に一定間隔をおいて平行に配置された左右一対の内リンクプレート２１と、内リンクプレート２１よりも左右方向に広い間隔をおいて平行に配置された左右一対の外リンクプレート２２とが、直列方向（前後方向）で隣り合う他のリンクプレート２１，２２と端部同士を連結ピン２３で回動自在に連結された構成をしている。また、左右の内リンクプレート２１の各外面には、前後方向から見た場合に矩形状をなす掻き板２４が、左右方向に突出するように取り付けられている。
【００３０】
そして、チェーン２０は、左右の内リンクプレート２１同士の間で連結ピン２３に回動自在に支持されたローラ２５（図２〜図４参照）が、回転する駆動スプロケット１６の外周に形成された各歯部と噛合することにより、駆動スプロケット１６の駆動回転に伴いケース１２内で図１に矢印で示すように反時計周りに周回移動するように構成されている。なお、チェーン２０は、左右一対の内リンクプレート２１の前後両端部のブシュ孔（図示略）に、ローラ２５を遊嵌したブシュ（図示略）を嵌合固定した内リンクと、一対の外リンクプレート２２の前後両端部のピン孔（図示略）に連結ピン２３を嵌合固定した外リンクとが、ブシュに挿入した連結ピン２３により無端状に連結された構成をしている。
【００３１】
また、この場合、チェーン２０は、ケース１２において前後及び中間の各ケース１３，１４，１５の連続した底面で構成される所定長さの底面２６に沿う下側経路部２７及びその底面２６と対向する天井面２８に沿う上側経路部２９を含む周回経路３０に沿って周回移動する。因みに、ケース１２内における駆動スプロケット１６と従車１８との間で上側経路部２９の下側となる位置には、チェーン２０のローラ２５を転動可能に支持するガイドレール３１が複数のブラケット３２を介して前後方向に延びるように設けられている。
【００３２】
また、チェーンコンベヤ１１のケース１２において、中間ケース１５の上壁部１５ａの後端部寄りの位置には、ケース１２内への被搬送物Ｗの投入口３３が形成される一方、前部ケース１３における駆動スプロケット１６の下側となる位置には、ケース１２外への被搬送物Ｗの排出口３４が形成されている。すなわち、チェーン２０の内リンクプレート２１に左右両側へ突出するように取り付けられた掻き板２４は、チェーン２０の周回移動に伴い周回経路３０の下側経路部２７を前方に向けて移動するとき、投入口３３を介してケース１２内に投入された被搬送物Ｗを、ケース１２の底面２６に沿って掻き出すようにして排出口３４が設けられた前方に向けて搬送する。そして、そのように搬送した被搬送物Ｗを排出口３４からケース１２の下方に排出可能とされる（図１参照）。
【００３３】
ところで、図２に示すように、投入口３３からケース１２内に投入されてチェーン２０の掻き板２４により搬送される被搬送物Ｗが穀物やセメント等の粉粒体である場合には、その搬送時にケース１２内で微細なダストＤが舞い上がり、そのようにして舞い上がったダストＤがケース１２内の天井面２８及び内側面３５に付着する。このようなダストＤは放置することなく除去することが好ましい。そこで、本実施形態では、ケース１２の天井面２８及び内側面３５に付着したダストＤを除去するために、ケース１２内を清掃可能な清掃装置４０を用いるようにしている。因みに、ケース１２内の内側面３５とは、ケース１２内における底面２６の左右の各側縁と天井面２８の左右の各側縁との間を上下方向に連結する左右両側の垂直な内面である。
【００３４】
図１及び図３に示すように、この清掃装置４０は、ケース１２内を駆動スプロケット１６と従車１８に巻き掛けられた状態で周回移動するチェーン２０に着脱自在に取り付けられる。より詳しくは、チェーン２０の長さ方向において、周回経路３０の一区間である天井面２８に沿う上側経路部２９を移動するチェーン部分に対して、載置状態にして取り付けられる。そのため、ケース１２の天井面２８において、上側経路部２９の上流位置（図１の紙面上では右方位置）と対応する箇所には、清掃装置４０をケース１２内のチェーン２０にケース１２外から取り付ける際に、その清掃装置４０を通過させる取り付け口４１が設けられている。そして、取り付け口４１には、その取り付け口４１を開閉可能な開閉蓋４２がヒンジ４３を介して回動自在に取り付けられている。
【００３５】
その一方、ケース１２の天井面２８において、上側経路部２９の下流位置（図１の紙面上では左方位置）と対応する箇所には、清掃装置４０をケース１２内のチェーン２０から取り外す際に、その清掃装置４０をケース１２外に向けて通過させる取り外し口４４が設けられている。なお、取り外し口４４は、ケース１２の天井面２８において投入口３３よりも後側であって従車１８の上側となる位置に設けられている。そして、取り外し口４４には、その取り外し口４４の前側半分を閉塞可能な蓋体４５と、その取り外し口４４の後側半分を閉塞可能な蓋体４６が設けられている。因みに、取り外し口４４の後側半分を閉塞可能な蓋体４６は、その後端部がヒンジ４７を介してケース１２（具体的には後部ケース１４）の後端上部に対して回動自在に取り付けられている。すなわち、この蓋体４６は、ユーザーの操作により取り外し口４４に対して開閉可能とされ、その取り外し口４４の後側半分を閉塞する第１位置状態と開放する第２位置状態とに変位する変位部材として機能する。
【００３６】
また、図８及び図９に示すように、取り外し口４４の前側半分を閉塞可能な蓋体４５は、その裏面４５ａ側に当該裏面４５ａと平行な方向に延びる帯状のレール７１を有している。このレール７１は、蓋体４５の裏面４５ａにおける前後方向で中途よりも後側となる部分の左右両端部に対して前後方向に沿うように各々取り付けられた断面クランク状の曲折板における左右方向で対向するようにケース１２内に向けて水平に突出した帯板状部分で構成されている。図８に示すように、このレール７１は、蓋体４５が取り外し口４４の前側半分を閉塞して当該レール７１をケース１２内に位置させる第１位置状態にある場合には、蓋体４５の裏面４５ａとの間に前側（図８の紙面上では右側）が開放された隙間Ｓを確保しつつ上側経路部２９に沿って延びるように設けられている。そして、このレール７１における前側の端部には、前側（上側経路部２９の上流側であって、図８の紙面上では右側）に向かうほど裏面４５ａから離間するように傾斜した傾斜部７２が設けられている。
【００３７】
一方、取り外し口４４の後側半分を閉塞可能な蓋体４６の裏面４６ａ側にも、当該裏面４６ａと平行な方向に延びる帯状のレール７３が設けられている。このレール７３は、蓋体４６の裏面４６ａにおける左右両端部の長さ方向全体に対して前後方向に沿うように各々取り付けられた断面クランク状の曲折板における左右方向で対向するようにケース１２内に向けて水平に突出した帯板状部分で構成されている。そして、図８に示すように、このレール７３も、蓋体４６が取り外し口４４の後側半分を閉塞して当該レール７３をケース１２内に位置させる第１位置状態にある場合には、蓋体４６の裏面４６ａとの間に前側（上側経路部２９の上流側であって、図８の紙面上では右側）が開放された隙間Ｓを確保しつつ上側経路部２９に沿って延びるように設けられている。
【００３８】
なお、蓋体４６の裏面４６ａに設けられたレール７３は、その前方に位置する蓋体４５の裏面４５ａに設けられたレール７１よりも、各々の蓋体４５，４６が取り外し口４４を閉塞した状態にあるときは高い位置にあり、そのレール７３の前端部分は前側のレール７１の後端部分に対してオーバーラップするように設けられている。そして、この後側のレール７３における後端よりも少し前側の位置には、その位置よりも後側への他物品（例えばレール７３上を転動する物品）のレール７３上の移動を阻止する板片からなるストッパ部７４が設けられている。
【００３９】
次に、清掃装置４０について説明する。
図３、図４及び図５に示すように、清掃装置４０は、チェーン２０における上側経路部２９を移動するチェーン部分に取り付けられた場合に、その下面をチェーン２０における複数のリンクプレート２１，２２の上端面に当接させる定形の基体部５０を備えている。すなわち、清掃装置４０は、その基体部５０の下面がチェーン２０における複数のリンクプレート２１，２２の上端面に当接した状態となることで、チェーン２０上に載置された状態となる。また、清掃装置４０は、基体部５０を介してチェーン２０上に載置された状態となった場合に、そのチェーン２０における左右一対の内リンクプレート２１の各外面から左右両側に突出した掻き板２４の表面に対して上側経路部２９の下流側から位置決め状態となって係合する係合部５１を備えている。
【００４０】
図４及び図５に示すように、この係合部５１は、基体部５０と一体的に取り扱い可能とされる左右一対の水平な板状部材であり、清掃装置４０が基体部５０をチェーン２０上に載置させて取り付けられた状態では、その左右一対の係合部５１がチェーン２０を左右の両側から挟んだ状態となる。そして、その状態では、各係合部５１を構成する板状部材の前端縁（図５の紙面上では上端縁）が上下方向に沿う掻き板２４の表面に対して上側経路部２９の下流側（図５の紙面上では下方となる後方）から当接すると共に、左右の係合部５１におけるチェーン２０を挟んで対向する側端縁同士が外リンクプレート２２の外面に各々当接する。その結果、清掃装置４０は、基体部５０がチェーン２０のリンクプレート２１，２２に対して上下方向で当接すると共に、各係合部５１がチェーン２０の掻き板２４及び外リンクプレート２２に対して前後方向及び左右方向において当接することにより、チェーン２０に対して位置決め状態となる。
【００４１】
また、清掃装置４０における左右一対の係合部５１の前後方向で中途よりも後側（図５の紙面上では下側）となる部分には、左右一組の平行四節リンクを含んで上下方向に揺動する揺動リンク機構５２が各々設けられている。そして、各々の揺動リンク機構５２の可動端となる上端部には、左右方向に延びる取付部５３を介して板状の弾性スクレーパーからなる摺動部５４が各々設けられている。また、左右の揺動リンク機構５２には、コイルスプリングからなる付勢部材５５が、その一端を揺動リンク機構５２の下端部の一部（固定部分）に係止させる一方、その他端を揺動リンク機構５２の変位自在な上端部の一部（可動部分）に係止させている。その結果、摺動部５４が上端部に設けられた揺動リンク機構５２は、収縮しようとする付勢部材５５の付勢力により、摺動部５４を上方に向けて押し上げる方向へ揺動するように付勢されている。
【００４２】
また、図５に示すように、清掃装置４０における左右一対の係合部５１の前後方向で中途よりも上流側端縁側となる部分には、左右一組の平行四節リンクを含んで上下方向に揺動する揺動リンク機構５６が、左側の係合部５１の右側端部と右側の係合部５１の左側端部との間に位置するようにして設けられている。そして、この揺動リンク機構５６の可動端となる上端部には、左右方向に延びる取付部５７を介して板状の弾性スクレーパーからなる摺動部５８が設けられている。また、この揺動リンク機構５６には、コイルスプリングからなる付勢部材５９が、その一端を基体部５０における揺動リンク機構５６よりも後方（図５の紙面上では下方）に位置する部位（固定部分）に係止させる一方、その他端を揺動リンク機構５６の変位自在な上端部の一部（可動部分）に係止させている。その結果、摺動部５８が上端部に設けられた揺動リンク機構５６は、収縮しようとする付勢部材５９の付勢力により、摺動部５８を上方に向けて押し上げる方向へ揺動するように付勢されている。
【００４３】
なお、図５に示すように、清掃装置４０における複数の摺動部５４，５８は、チェーン２０の周回経路３０中の上側経路部２９の延びる方向と交差する幅方向（左右方向）に沿って各々が延びていると共に、その幅方向（左右方向）に互いの位置をずらせて設けられている。また、複数の摺動部５４，５８のうち、揺動リンク機構５６の上端部に設けられた摺動部５８は、左右の揺動リンク機構５２の各上端部に設けられた左右の両摺動部５４よりも、チェーン２０の移動方向の上流側（図５の紙面上では上側）に位置している。そして、この中央の摺動部５８は、その幅方向（左右方向）の両端部が、それよりも下流側（図５の紙面上では下側）に位置する左右の両摺動部５４と部分的にオーバーラップするように設けられている。
【００４４】
また、図４及び図５に示すように、清掃装置４０における基体部５０の前後方向で中途よりも前側となる部分の左右両側には、平行四節リンクを含んで左右方向に揺動する揺動リンク機構６０が各々設けられている。各揺動リンク機構６０において可動端となる側端部には、上下方向に延びる取付部６１を介して板状の弾性スクレーパーからなる摺動部６２が各々設けられている。また、左右の揺動リンク機構６０には、コイルスプリングからなる付勢部材６３が、その一端を基体部５０の後端部（図５の紙面上では下端部）に係止させる一方、その他端を揺動リンク機構６０の可動端となる側端部の一部に係止させている。その結果、摺動部６２が可動端となる側端部に設けられた揺動リンク機構６０は、収縮しようとする付勢部材６３の付勢力により、摺動部６２をケース１２の内側面３５に押し付ける方向へ揺動するように付勢されている。すなわち、図３及び図５に示すように、上下方向に沿う摺動部６２は、ケース１２内の左右の各内側面３５のうちチェーン２０の上側経路部２９と対応する高さの一定領域に対して摺動可能である。なお、この場合、上下方向に沿う摺動部６２は、その上下方向の大きさや位置を適宜に変更することによって、ケース１２の内側面３５のうちチェーン２０の上側経路部２９と対応する高さの一定領域以外の他の領域も含めて任意の領域を清掃することが可能とされる。
【００４５】
なお、清掃装置４０における基体部５０の前後方向で中途よりも後側（図５の紙面上では下側）で且つ左右方向で略中央となる位置には前後方向に沿う長孔６４が形成されている。そして、この長孔６４にはユーザーが指先で摘んで移動操作することが可能なコマ部材６５が長孔６４に沿って移動自在に且つ移動させられた後の位置での停止可能に組み付けられている。また、このコマ部材６５は、図示しない連係機構を介して左右の揺動リンク機構６０の可動端となる側端部に連係されており、長孔６４に沿って移動することで左右の揺動リンク機構６０を左右方向において揺動させる。すなわち、このコマ部材６５の長孔６４に沿う方向での位置取りにより左右の摺動部６２の左右方向での位置が決定される。本実施形態では、長孔６４内でのコマ部材６５の位置が相対的に後方（図５の紙面上では下方）である場合の方が相対的に前方（図５の紙面上では上方）である場合よりも、左右の摺動部６２の左右方向での互いの距離が狭まるように構成されている。
【００４６】
また、図４及び図５に示すように、清掃装置４０における基体部５０の前後方向での中途よりも後側（図５の紙面上では下側）となる部分には、左右一組の平行四節リンクを含んで上下方向に揺動する揺動リンク機構６６が設けられている。そして、この揺動リンク機構６６の可動端となる上端部には、左右方向に沿う軸線を中心にして回転するローラ形状の転動体６７が回転自在に支持されている。なお、この揺動リンク機構６６を構成する左右の平行四節リンクは、この揺動リンク機構６６よりも前方（図５の紙面上では上方）において中央の摺動部５８を上端部に設けて上下方向に揺動する揺動リンク機構５６における左右の平行四節リンクと左右方向での位置がほぼ一致している。そして、ローラ形状の転動体６７は、揺動リンク機構６６における左側の平行四節リンクの上端部から左側に設けられる転動体６７と揺動リンク機構６６における右側の平行四節リンクの上端部から右側に設けられる転動体６７とを含んで構成されている。
【００４７】
さらに、この転動体６７が上端部に設けられた揺動リンク機構６６には、その一端を基体部５０における前後方向の略中間に位置する固定シャフト６８に係止させる一方、その他端を揺動リンク機構６６の変位自在な上端部に位置する可動シャフト６９に係止させたコイルスプリングからなる付勢部材７０が設けられている。その結果、転動体６７が上端部に設けられた揺動リンク機構６６は、収縮しようとする付勢部材７０の付勢力により、転動体６７を上方に向けて押し上げる方向へ揺動するように付勢されている。
【００４８】
次に、上記のチェーンコンベヤ１１及びその清掃装置４０の作用について、図２に示すように、チェーンコンベヤ１１のケース１２の内面（天井面２８や内側面３５）にダストＤが付着している場合において、そのダストＤを清掃装置４０により除去してケース１２内を清掃する際の清掃方法に着目して説明する。
【００４９】
さて、清掃装置４０によりケース１２内を清掃する場合には、まず、図６に示すようにケース１２の取り付け口４１を閉塞した状態にあった開閉蓋４２を開き動作させて取り付け口４１を開放する。そして次に、図６に二点鎖線で示すように、清掃装置４０を、取り付け口４１の前方斜め上方位置に保持した後、その位置から白抜き矢印で示すように、後方斜め下方へと移動させる。すると、清掃装置４０がケース１２外からケース１２内へと取り付け口４１を通過する。なお、このとき清掃装置４０は、コマ部材６５を長孔６４内で相対的に後方（図５の紙面上では下方）に位置させておくと、左右方向に揺動する揺動リンク機構６０に支持された左右の摺動部６２の左右方向での互いの距離が狭まるため、取り付け口４１を通過させ易くなる。
【００５０】
そして次に、図６に実線で示すように、清掃装置４０をチェーン２０に対して上側経路部２９の上流位置において基体部５０を介して載置状態にする。なお、清掃装置４０は、このようにチェーン２０に載置された状態において、左右方向に沿う各摺動部５４，５８及び各転動体６７の上端の高さ位置が、取り付け口４１内において、ケース１２の天井面２８の高さ以上の高さ位置となる。その理由は、各摺動部５４，５８及び各転動体６７を支持して上下方向に揺動する各揺動リンク機構５２，５６，６６が、各摺動部５４，５８及び各転動体６７を押し上げる方向に各付勢部材５５，５９，７０により付勢されているからである。
【００５１】
清掃装置４０は、チェーン２０に載置された後、コマ部材６５が長孔６４内で前方（図５の紙面上では上方）へと移動調節され、上下方向に沿う左右の両摺動部６２がケース１２の内側面３５に摺動可能となるように左右方向での互いの距離が広げられる。また、この場合には、チェーン２０の掻き板２４に対して清掃装置４０の係合部５１を上側経路部２９の下流側から当接するように係合させる。すると、清掃装置４０は、チェーン２０に対して載置態様の位置決め状態に取り付けられ、これによりチェーン２０に対する清掃装置４０の取り付け工程が終了する。
【００５２】
すると次に、図７に示すように、ケース１２の取り付け口４１を開放した状態にあった開閉蓋４２を閉じ動作させて取り付け口４１を閉塞する。すると、清掃装置４０における揺動リンク機構６６の上端部の転動体６７が、閉じ動作した開閉蓋４２によって上方から押され、揺動リンク機構６６は付勢部材７０の付勢力に抗して上端部を下げる方向に揺動する。同様に、清掃装置４０における揺動リンク機構５２，５６の上端部の摺動部５４，５８も、閉じ動作した開閉蓋４２によって上方から押され、揺動リンク機構５２，５６は付勢部材５５，５９の付勢力に抗して上端部を下げる方向に揺動する。そして、この状態において駆動スプロケット１６を駆動回転させてチェーン２０を周回移動させると、清掃装置４０が、チェーン２０と共に上側経路部２９を下流側（図７の紙面上では左方となる後方）に移動する。
【００５３】
なお、その際、清掃装置４０は、ケース１２内の天井面２８に対して転動体６７を転動させつつ、その転動体６７よりも上側経路部２９の上流側（図７の紙面上では右方となる前方）で、幅方向（左右方向）に沿って延びる左右一対の摺動部５４及び中央の摺動部５８を天井面２８に対して圧接させて摺動させる。さらに、転動体６７よりも上側経路部２９の下流側（図７の紙面上では左方となる後方）で、上下方向に沿って延びる左右一対の摺動部６２をケース１２の内側面３５に対して摺動させる。すなわち、清掃装置４０は、周回移動するチェーン２０に取り付けられた状態で、各摺動部５４，５８，６２をケース１２内の天井面２８及び内側面３５に摺動させつつ移動し、ケース１２の天井面２８及び内側面３５に付着しているダストＤを掻き取って、ケース１２内を清掃する。そして、上側経路部２９を下流側に更に移動した清掃装置４０が、ケース１２における後部ケース１４に設けられた取り外し口４４の下方位置まで至ると、チェーン２０による清掃装置４０の移動工程が終了する。
【００５４】
すると次に、図８に示すように、チェーン２０に載置態様で取り付けられて取り外し口４４の下方位置まで至った清掃装置４０は、それまで天井面２８に下側から転動体６７を付勢しつつ当接させていた揺動リンク機構６６が、付勢部材７０の付勢力に基づき転動体６７を取り外し口４４内で押し上げるように上方に揺動する。そのため、図８に示すように、取り外し口４４における前側半分の領域内で上方に押し上げられた転動体６７が、前側の蓋体４５の裏面４５ａ側のレール７１における上流端となる前端の傾斜部７２に差し掛かる。
【００５５】
なお、図９に示すように、このとき揺動リンク機構６６は、その左右方向の外形寸法が左右方向で対向する一対のレール７１の間隔寸法よりも小さいため、取り外し口４４内をレール７１に干渉することなく下流側に移動して、転動体６７だけをレール７１の傾斜部７２に接触させる。そして、その状態において清掃装置４０が更に下流側に移動すると、転動体６７は、傾斜部７２を上り切ってレール７１上を転動し、そのレール７１の下流端となる後端まで至ると、後側の蓋体４６の裏面４６ａに設けられたレール７３へと上流側のレール７１から乗り移る。そして、このように転動体６７がレール７１，７３上を転動するようになると、清掃装置４０は、それまでのチェーン２０上に載置されていたときよりも装置自身の高さ位置が上昇するため、チェーン２０上から浮き上がった状態となる。
【００５６】
すると、図１０に示すように、清掃装置４０は、その状態では移動方向の下流側（この場合は後方）への慣性力がついているため、レール７３上を更に後方へと転動しようとするが、そのレール７３の後端の手前でストッパ部７４に当接し、それ以上の後方への転動が阻止される。その結果、清掃装置４０は、その一部である転動体６７が蓋体４６の裏面４６ａに設けられたレール７３に対して掛止した状態となる。この点で、レール７３は、前側のレール７１も含めて、チェーン２０の上側経路部２９を取り外し口４４の下方位置まで移動してきた清掃装置４０が、移動しながらその一部（転動体６７）を掛止させる掛止部として機能する。
【００５７】
そして次には、図１１に示すように、レール７３に清掃装置４０が転動体６７を介して掛止している後側の蓋体４６を図１０に示す閉塞状態（第１位置状態）からヒンジ４７を支点にして開放方向に変位させて開放状態（第２位置状態）にする。すると、蓋体４６の裏面４６ａがケース１２外に露出するため、その裏面４６ａ側のレール７３に掛止している清掃装置４０もケース１２外に露出する。そのため、その蓋体４６の裏面４６ａ側のレール７３から転動体６７を抜き出し方向に転動させると、ケース１２内からダストＤを除去するためにチェーン２０に取り付けていた清掃装置４０がチェーンコンベヤ１１から取り外される。そして、これによりチェーン２０からの清掃装置４０の取り外し工程が終了する。
【００５８】
上記の実施形態によれば、以下のような効果を得ることができる。
（１）チェーンコンベヤ１１のケース１２内の天井面２８にダストＤが付着している場合、清掃装置４０をケース１２の天井面２８に設けた取り付け口４１からチェーン２０に取り付けた後、そのチェーン２０を清掃装置４０が上側経路部２９を下流側に移動するように周回移動させると、清掃装置４０により天井面２８を清掃できる。すなわち、天井面２８に付着しているダストＤは清掃装置４０が有する摺動部５４，５８により掻き取られるように除去されるため、ケース１２において裏面が天井面２８となる上壁部をケース１２の左右側壁部の上端部から取り外す等の面倒な作業をしなくても、チェーンコンベヤ１１のケース１２内の天井面２８を容易に清掃できる。
【００５９】
（２）そして、そのような清掃装置４０によるケース１２内の天井面２８の清掃が終了した後は、ケース１２の天井面２８に設けた取り外し口４４を介してチェーン２０から清掃装置４０を取り外すことにより、再びチェーンコンベヤ１１による被搬送物Ｗの搬送を簡単に再開することができる。
【００６０】
（３）チェーン２０の周回移動に伴い上側経路部２９を下流に向けて移動し、取り出し口４４の下方位置まで至った清掃装置４０は、その一部である転動体６７が、蓋体４６の裏面４６ａとの間に上流側が開放された隙間Ｓを確保して水平に設けられたレール７３に対して、下流側に移動しつつ掛止する。そして、その状態から蓋体４６を反転させて開放状態にすると、掛止部として機能するレール７３に掛止されたままで清掃装置４０がケース１２外に露出するため、その清掃装置４０をレール７３から取り外して回収することができる。
【００６１】
（４）チェーン２０の周回移動に伴い清掃装置４０が天井面２８に沿って上側経路部２９を下流側に移動するときには、付勢部材５５，５９の付勢力により揺動リンク機構５２，５６を介して摺動部５４，５８を常に天井面２８に対して圧接した状態にできる。そのため、ダストＤが付着している天井面２８に対して摺動部５４，５８が適度な力で押し付けられるので、ダストＤの除去を伴う清掃作業を安定して行うことができる。
【００６２】
（５）清掃装置４０は、天井面２８に摺動する複数の摺動部５４，５８が上側経路部２９の延びる前後方向と交差する左右方向（幅方向）において互いに一部をオーバーラップさせるように配置されている。そのため、摺動部の構成が左右方向に幅が広い単一の部材構成である場合に比して、複数の部材構成からなる摺動部５４，５８の場合には天井面２８に対して多面的な摺動状態を得ることができるので、例えば天井面２８の一部分に歪みがある場合にも柔軟に対応でき、その天井面２８に付着しているダストＤを良好に除去できる。
【００６３】
（６）上側経路部２９で清掃装置４０をチェーン２０上に載置するときには、清掃装置４０の係合部５１をチェーン２０の掻き板２４に対して上側経路部２９の下流側から当接するように係合させると、清掃装置４０をチェーン２０に対して位置決め状態にして取り付けることができる。そして、清掃が終了した後は、上側経路部２９において清掃装置４０をチェーン２０上から持ち上げるだけで、掻き板２４に対する係合部５１の係合が解除されるため、チェーン２０から清掃装置４０を容易に取り外すことができる。
【００６４】
（７）チェーン２０の周回移動に伴い上側経路部２９を下流側に向けて移動し、取り出し口４４の下方位置まで至った清掃装置４０は、その転動体６７が、取り出し口４４の上流側半分を閉塞した状態にある上流側の蓋体４５の裏面４５ａに隙間Ｓを確保しつつ水平に延びるレール７１の上流端の傾斜部７２に乗り上げるように係合する。そして、その状態から転動体６７は、この傾斜部７２にガイドされつつ水平なレール７１上を転動した後、それよりも下流側となる後側の蓋体４６の裏面４６ａに同じく隙間Ｓを確保して水平に延びるレール７３上に乗り移って、当該レール７３に掛止される。したがって、取り出し口４４の下方位置まで至った清掃装置４０を傾斜部７２のガイド作用により掛止部として機能するレール７１，７３に対して円滑に掛止させることができる。
【００６５】
（８）清掃装置４０には、ケース１２の天井面２８に摺動する摺動部５４，５８の他にケース１２の左右の内側面３５に摺動する摺動部６２も設けられているため、ケース１２における複数の内面（天井面２８及び内側面３５）を一つの清掃装置４０により効率良く清掃することができる。
【００６６】
なお、上記の実施形態は以下のように変更してもよい。
・清掃装置４０は、チェーン２０に取り付けられるときに掻き板２４に対して係合する係合部５１が、下流側から当接して係合する構成ではなく、掻き板２４に対して上方から嵌り込むスリット状の溝などで構成されていてもよい。このような構成でも、清掃装置４０をチェーン２０に対して位置決め状態にして取り付けることができる。
【００６７】
・清掃装置４０は、チェーン２０に対して載置態様で取り付けられる以外に、固定ねじ等により固定状態にして取り付けられるようにしてもよい。この場合は、取り外し口４４を介して清掃装置４０をチェーン２０から取り外すときに固定ねじも取り外される。
【００６８】
・清掃装置４０は、ケース１２の左右の内側面３５に対する摺動部６２を備えない構成であってもよい。
・清掃装置４０は、天井面２８に対する複数の摺動部５４，５８が、単一の部材構成であってもよい。
【００６９】
・清掃装置４０は、天井面２８に対する複数の摺動部５４，５８が、それらの幅方向において直線状に横並びする配置構成であってもよい。すなわち、中央の摺動部５８の右端に右側の摺動部５４の左端が当接すると共に、中央の摺動部５８の左端に左側の摺動部５４の右端が当接する構成であってもよい。
【００７０】
・清掃装置４０は、天井面２８に対する複数の摺動部５４，５８を付勢する付勢部材５５，５９を備えない構成でもよい。この場合には、例えば摺動部５４，５８を弾性変形可能な材料からなる板状部材とし、その板状部材の上端部が天井面２８に対して撓み変形を伴って摺動するようにするのが好ましい。
【００７１】
・清掃装置４０の摺動部５４，５８，６２は、板状の弾性スクレーパーによる構成以外に、付勢部材５５，５９，６３により付勢されるならば剛性を有する板状部材であってもよく、さらには、多数本の毛羽で構成されるブラシ部材であってもよい。
【００７２】
・ケース１２の取り外し口４４を閉塞可能に設けられる蓋体４５，４６は、一つの蓋体構成でもよい。例えば、下流側の蓋体４６を前後方向において上流側の蓋体４５の分だけ長く形成し、その裏面４６ａのレール７３の長さを約２倍とし、そのレール７３の上流端に傾斜部７２を形成すればよい。
【００７３】
・ケース１２の取り外し口４４には、蓋体４５，４６とは別部材の構成で、清掃装置４０の一部を掛止する掛止部を有した変位部材を、その掛止部がケース１２内に位置する第１位置状態とケース１２外に位置する第２位置状態とに変位可能な変位部材を設けるようにしても良い。この場合にも、蓋体４５，４６が取り外し口４４を閉塞している状態で、清掃装置４０がチェーン２０に載置された状態で取り外し口４４の下方位置まで移動してきたときには、変位部材が有する掛止部に対して清掃装置の一部（転動体６７）が移動しながら掛止する。そして、その後、蓋体４５，４６を開放して変位部材を掛止部がケース１２外に露出するように変位させれば、実施形態の場合と同様に清掃装置４０を掛止部から容易に取り外して回収できる。
【符号の説明】
【００７４】
１１…チェーンコンベヤ、１２…ケース、２０…チェーン、２４…掻き板、２６…底面、２７…下側経路部、２８…天井面、２９…上側経路部、３０…周回経路、４０…清掃装置、４１…取り付け口、４４…取り外し口、４６…変位部材の一例である開閉可能な蓋体、４６ａ…裏面、５１…係合部、５４，５８，６２…摺動部、Ｓ…隙間、Ｗ…被搬送物。
【図１】
0006411408.tif 000002
【図２】
0006411408.tif 000003
【図３】
0006411408.tif 000004
【図４】
0006411408.tif 000005
【図５】
0006411408.tif 000006
【図６】
0006411408.tif 000007
【図７】
0006411408.tif 000008
【図８】
0006411408.tif 000009
【図９】
0006411408.tif 000010
【図１０】
0006411408.tif 000011
【図１１】
0006411408.tif 000012